【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
前記患者インターフェースベース圧力を有する換気治療を提供するように前記圧力生成器を制御することと、
前記呼吸流量を示す信号から前記患者の換気の測定を計算することと、
前記呼吸流量信号の吸気部分から流れ制限の測定を計算することと、
前記換気の測定と期待される正常換気との比を計算することと、
前記流れ制限の測定に基づいて前記換気治療のベース圧力の設定点を調整することと、を行うように構成される、制御器と、を含み、
前記調整は、前記比と、前記流れ制限の測定の増加と共に増加する相対的な換気閾値との間の比較にさらに依存する、装置。
【請求項２】
前記制御器は、前記換気治療のベース圧力の前記設定点を前記流れ制限の測定に基づいて調整するように構成され、前記調整は、
換気関連乗数を前記比および前記相対的な換気閾値の関数として計算することと、
前記ベース圧力の前記設定点への規定された増加を前記乗数および前記流れ制限の測定と流れ制限閾値との間の差の積から計算することと、によって行われる、
請求項１に記載の装置。
【請求項３】
前記換気関連乗数は、前記比が前記相対的な換気閾値を超えた場合に１から０へ減少する、請求項２に記載の装置。
【請求項４】
前記換気関連乗数は、前記比が前記相対的な換気閾値を下回ると共に増加する、請求項２〜３のいずれか１つに記載の装置。
【請求項５】
前記流れ制限閾値は、現在のベース圧力の増加と共に増加する、請求項２〜４のいずれか１つに記載の装置。
【請求項６】
前記換気関連乗数は、複数の呼吸にわたる最近長引いている流れが制限された有意な低換気の測定に比例して増加する、請求項２〜５のいずれか１つに記載の装置。
【請求項７】
前記制御器は、流れが制限された有意な低換気の複数の呼吸にわたる測定をフィルタリングすることにより、最近長引いている流れが制限された有意な低換気の測定を計算するように、構成される、請求項６に記載の装置。
【請求項８】
前記ベース圧力設定点の調整は、前記ベース圧力の現在の値にさらに依存する、請求項１〜７のいずれか１つに記載の装置。
【請求項９】
前記ベース圧力設定点の調整は、
前記ベース圧力の現在の値の増加と共に１から０へ減少するベース圧力関連乗数を計算することと、
前記ベース圧力関連乗数および前記流れ制限の測定と流れ制限閾値との間の差の積から前記ベース圧力の前記設定点への規定された増加を計算することと、を含む、請求項８に記載の装置。
【請求項１０】
前記制御器は、漏洩流量の現在の値を推測するようにさらに構成され、前記ベース圧力設定点の調整は、前記漏洩流量の現在の値にさらに依存する、請求項１〜９のいずれか１つに記載の装置。
【請求項１１】
前記調整は、
推測された漏洩流量の増加と共に１から０へ減少する漏洩関連乗数を計算することと、
前記ベース圧力の前記設定点への規定された増加を前記漏洩関連乗数および前記流れ制限の測定と流れ制限閾値との間の差の積から計算することと、を含む、請求項１０に記載の装置。
【請求項１２】
前記流れ制限閾値は、現在のベース圧力の増加と共に増加する、請求項１１に記載の装置。
【請求項１３】
前記換気治療はサーボ換気治療であり、前記期待される正常換気は、前記サーボ換気治療のターゲット換気である、請求項１〜１２のいずれか１つに記載の装置。
【請求項１４】
前記換気の測定は、呼吸方向の換気である、請求項１〜１３のいずれか１つに記載の装置。
【請求項１５】
前記流れ制限の測定は、前記吸気部分のＭ字形状の測定を含む、請求項１〜１４のいずれか１つに記載の装置。
【請求項１６】
患者における呼吸障害の治療のための換気装置の制御器における動作方法であって、
前記換気装置の前記制御器を用いて換気治療の１つ以上の設定を制御することであって、前記換気治療はベース圧力を有する、制御することと、
前記患者の呼吸流量を示す信号を生成するセンサーから前記患者の換気の測定を計算することと、
前記呼吸流量信号の吸気部分から流れ制限の測定を計算することと、
前記換気の測定と期待される正常換気との比を計算することと、
前記換気装置の前記制御器において、前記換気治療の前記ベース圧力の設定点を前記流れ制限の測定に基づいて調整することと、を含み、
前記調整することは、前記制御器における、前記比と、前記流れ制限の測定の増加と共に増加する相対的な換気閾値との間の比較にさらに依存する、方法。 
【手続補正２】
【補正対象書類名】明細書
【補正対象項目名】０３８８
【補正方法】変更
【補正の内容】
【０３８８】
よって、本技術の意図および範囲から逸脱することなく、例示的な例において多数の変更例が可能であり、また、他の配置構成が考案され得ることが理解されるべきである。
なお、出願当初の特許請求の範囲の記載は以下の通りである。
請求項１：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
前記患者インターフェースベース圧力を有する換気治療を提供するように前記圧力生成器を制御することと、
前記呼吸流量を示す信号から前記患者の換気の測定を計算することと、
前記呼吸流量信号の吸気部分から流れ制限の測定を計算することと、
前記換気の測定と期待される正常換気との比を計算することと、
前記流れ制限の測定に基づいて前記換気治療のベース圧力の設定点を調整することと、を行うように構成される、制御器と、を含み、
前記調整は、前記比と、前記流れ制限の測定の増加と共に増加する相対的な換気閾値との間の比較にさらに依存する、装置。
請求項２：
前記制御器は、前記換気治療のベース圧力の前記設定点を前記流れ制限の測定に基づいて調整するように構成され、前記調整は、
換気関連乗数を前記比および前記相対的な換気閾値の関数として計算することと、
前記ベース圧力の前記設定点への規定された増加を前記乗数および前記流れ制限の測定と流れ制限閾値との間の差の積から計算することと、によって行われる、
請求項１に記載の装置。
請求項３：
前記換気関連乗数は、前記比が前記相対的な換気閾値を超えた場合に１から０へ減少する、請求項２に記載の装置。
請求項４：
前記換気関連乗数は、前記比が前記相対的な換気閾値を下回ると共に増加する、請求項２〜３のいずれか１つに記載の装置。
請求項５：
前記流れ制限閾値は、現在のベース圧力の増加と共に増加する、請求項２〜４のいずれか１つに記載の装置。
請求項６：
前記換気関連乗数は、複数の呼吸にわたる最近長引いている流れが制限された有意な低換気の測定に比例して増加する、請求項２〜５のいずれか１つに記載の装置。
請求項７：
前記制御器は、流れが制限された有意な低換気の複数の呼吸にわたる測定をフィルタリングすることにより、最近長引いている流れが制限された有意な低換気の測定を計算するように、構成される、請求項６に記載の装置。
請求項８：
前記ベース圧力設定点の調整は、前記ベース圧力の現在の値にさらに依存する、請求項１〜７のいずれか１つに記載の装置。
請求項９：
前記ベース圧力設定点の調整は、
前記ベース圧力の現在の値の増加と共に１から０へ減少するベース圧力関連乗数を計算することと、
前記ベース圧力関連乗数および前記流れ制限の測定と流れ制限閾値との間の差の積から前記ベース圧力の前記設定点への規定された増加を計算することと、を含む、請求項８に記載の装置。
請求項１０：
前記制御器は、漏洩流量の現在の値を推測するようにさらに構成され、前記ベース圧力設定点の調整は、前記漏洩流量の現在の値にさらに依存する、請求項１〜９のいずれか１つに記載の装置。
請求項１１：
前記調整は、
推測された漏洩流量の増加と共に１から０へ減少する漏洩関連乗数を計算することと、
前記ベース圧力の前記設定点への規定された増加を前記漏洩関連乗数および前記流れ制限の測定と流れ制限閾値との間の差の積から計算することと、を含む、請求項１０に記載の装置。
請求項１２：
前記流れ制限閾値は、現在のベース圧力の増加と共に増加する、請求項１１に記載の装置。
請求項１３：
前記換気治療はサーボ換気治療であり、前記期待される正常換気は、前記サーボ換気治療のターゲット換気である、請求項１〜１２のいずれか１つに記載の装置。
請求項１４：
前記換気の測定は、呼吸方向の換気である、請求項１〜１３のいずれか１つに記載の装置。
請求項１５：
前記流れ制限の測定は、前記吸気部分のＭ字形状の測定を含む、請求項１〜１４のいずれか１つに記載の装置。
請求項１６：
患者における呼吸障害を治療する方法であって、
換気装置を用いて患者インターフェースを通じて前記患者への換気治療を前記ベース圧力を有する換気治療を制御することと、
前記患者の呼吸流量を示す信号を生成するセンサーから前記患者の換気の測定を計算することと、
前記呼吸流量信号の吸気部分から流れ制限の測定を計算することと、
前記換気の測定と期待される正常換気との比を計算することと、
前記換気装置の制御器において前記換気治療のベース圧力の設定点を前記流れ制限の測定に基づいて調整することと、を含み、
前記調整することは、前記制御器における、前記比と、前記流れ制限の測定の増加と共に増加する相対的な換気閾値との間の比較にさらに依存する、方法。
請求項１７：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
ベース圧力を有する換気治療を前記患者インターフェースへ提供するように前記圧力生成器を制御することと、
前記呼吸流量を示す信号から無呼吸を検出することと、
前記無呼吸時の漏洩流量を推測することと、
前記無呼吸に応答して前記無呼吸時に前記推測された漏洩流量に基づいて前記換気治療のベース圧力の設定点を調整することと、を行うように構成された制御器と、を含む、装置。
請求項１８：
患者における呼吸障害を治療する方法であって、
換気装置を用いて患者インターフェースを通じて前記患者への換気治療を前記ベース圧力を有する換気治療を制御することと、
前記換気装置の制御器において前記患者の呼吸流量を示すセンサー信号から無呼吸を検出することと、
前記無呼吸時の漏洩流量を推測することと、
前記制御器において前記無呼吸に応答して前記無呼吸時の前記漏洩流量の推測に基づいて前記換気治療のベース圧力の設定点を調整することと、を含む、方法。
請求項１９：
前記無呼吸に応答して前記換気治療のベース圧力の前記設定点を調整することは、
前記無呼吸の有効持続期間を前記無呼吸時の前記漏洩流量の推測に応じて計算することと、
前記無呼吸の前記有効持続期間に基づいて前記ベース圧力の前記設定点を調整することと、
を含む、請求項１８に記載の方法。
請求項２０：
前記有効持続期間を計算することは、各無呼吸検出間隔について、
前記無呼吸時に前記推測された漏洩流量検出間隔に基づいて重み付け低減係数を計算することと、
前記重み付け低減係数を用いて前記無呼吸の現在の有効持続期間をインクリメントすることと、
を含む、請求項１９に記載の方法。
請求項２１：
前記重み付け低減係数は、前記推測された漏洩流量の増加と共に１から０へ減少する、請求項２０に記載の方法。
請求項２２：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
換気治療を前記患者へ前記ベース圧力を有する換気治療を提供するように前記圧力生成器を制御することと、
前記呼吸流量を示す信号から無呼吸を検出することと、
前記呼吸流量を示す信号から前記患者の換気の測定を計算することと、
前記無呼吸に応答して前記無呼吸時の前記換気の測定に基づいて前記換気治療のベース圧力の設定点を調整することと、
を行うように構成された制御器と、を含む、装置。
請求項２３：
患者における呼吸障害を治療する方法であって、
換気装置を用いて患者インターフェースを通じて前記患者への換気治療を前記ベース圧力を有する換気治療を制御することと、
前記換気装置の制御器において前記患者の呼吸流量を示すセンサー信号から無呼吸を検出することと、
前記呼吸流量を示す信号から前記無呼吸時の前記患者の換気の測定を計算することと、
前記換気装置の前記制御器において、前記無呼吸に応答して前記無呼吸時の前記換気の測定に基づいて前記換気治療のベース圧力の設定点を調整することと、を含む、方法。
請求項２４：
前記無呼吸に応答して前記換気治療のベース圧力の前記設定点を調整することは、
前記無呼吸の有効持続期間を前記無呼吸時の前記換気の測定に応じて計算することと、
前記ベース圧力の前記設定点を前記無呼吸の前記有効持続期間に基づいて調整することと、を含む、請求項２３に記載の方法。
請求項２５：
前記有効持続期間を計算することは、各無呼吸検出間隔について、
前記無呼吸時の前記換気の測定検出間隔に基づいて重み付け低減係数を計算することと、
前記重み付け低減係数を用いて前記無呼吸の現在の有効持続期間をインクリメントすることと、を含む、請求項２４に記載の方法。
請求項２６：
前記重み付け低減係数は、前記換気の測定が閾値を超えると１から０へ減少する、請求項２５に記載の方法。
請求項２７：
前記閾値は、期待される正常換気のごく一部である、請求項２６に記載の方法。
請求項２８：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
換気治療を前記患者インターフェースへ前記ベース圧力を有する換気治療を提供するように前記圧力生成器を制御することと、
前記呼吸流量を示す信号から無呼吸を検出することであって、前記検出することはヒステリシスを含む、ことと、
前記検出された無呼吸に応答して前記換気治療のベース圧力の設定点を調整することと、を行うように構成される制御器と、
を含む、装置。
請求項２９：
患者における呼吸障害を治療する方法であって、
換気装置を用いて患者インターフェースを通じて前記患者への換気治療を前記ベース圧力を有する換気治療を制御することと、
前記換気装置の制御器において前記患者の呼吸流量を示すセンサー信号から無呼吸を検出することであって、前記検出することはヒステリシスを含む、ことと、
前記制御器において、前記検出された無呼吸に応答して前記換気治療のベース圧力の設定点を調整することと、を含む、方法。
請求項３０：
前記無呼吸を検出することは、
１つ以上の現在の換気測定が各無呼吸開始基準を満たすかを決定することと、
前記１つ以上の現在の換気測定のうち１つが前記対応する無呼吸開始基準を満たすことと、無呼吸が既に進行していないこととが決定された場合、無呼吸を検出することと、
前記１つ以上の現在の換気測定のうちいずれも前記対応する無呼吸開始基準を満たさないことと、無呼吸が既に進行していることとが決定された場合、無呼吸終了基準が満たされるかを決定することと、
前記無呼吸終了基準が満たされたことが決定された場合、前記無呼吸の終了を検出することと、を含む、請求項２９に記載の方法。
請求項３１：
無呼吸開始基準は、対応する現在の換気測定が期待される正常換気の一部未満であるかである、請求項３０に記載の方法。
請求項３２：
前記対応する現在の換気測定は、前回の２秒にわたる瞬間的換気の測定の平均である、請求項３１〜３２のうちいずれか１つに記載の方法。
請求項３３：
前記対応する現在の換気測定は、時定数を１０秒で瞬間的換気をローパスフィルタリングした測定である、請求項３１に記載の方法。
請求項３４：
前記無呼吸が進行中であるときに、
前記１つ以上の現在の換気測定のうちの１つから期待される正常換気を減算し、前記期待される正常換気によって除算することにより、相対的な換気誤差を計算することと、
前記相対的な換気誤差が無呼吸閾値を超える量の今までの合計を更新することと、
をさらに含み、
前記無呼吸終了基準は、前記更新された今までの合計が閾値を上回るかである、
請求項３０〜３３のうちいずれか１つに記載の方法。
請求項３５：
前記閾値は０．１５である、請求項３４に記載の方法。
請求項３６：
前記換気治療はサーボ換気であり、前記期待される正常換気は、前記サーボ換気のターゲット換気である、請求項３１〜３５のうちいずれか１つに記載の方法。
請求項３７：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
換気治療を前記患者へ前記ベース圧力を有する換気治療を提供するように前記圧力生成器を制御することと、
前記患者インターフェースにおける漏洩流量を推測することと、
誤モデル化された漏洩無呼吸を前記呼吸流量を示す信号から検出することであって、前記誤モデル化された漏洩無呼吸は、無呼吸が真の漏洩流量の前記推測された漏洩流量からの逸脱によってマスクされた際に発生する、ことと、
前記検出された誤モデル化された漏洩無呼吸に応答して前記換気治療のベース圧力の設定点を調整することと、
を行うように構成された制御器と、を含む、装置。
請求項３８：
患者における呼吸障害を治療する方法であって、
換気装置を用いて患者インターフェースを通じて前記患者への換気治療を前記ベース圧力を有する換気治療を制御することと、
前記患者インターフェースにおける漏洩流量を推測することと、
誤モデル化された漏洩無呼吸を前記患者の呼吸流量を示す信号から前記換気装置の制御器において検出することであって、前記誤モデル化された漏洩無呼吸は、無呼吸が真の漏洩流量の前記推測された漏洩流量からの逸脱によってマスクされた際に発生する、ことと、
前記検出された誤モデル化された漏洩無呼吸に応答して前記換気治療のベース圧力の設定点を前記制御器において調整することと、を含む、方法。
請求項３９：
前記誤モデル化された漏洩無呼吸を検出することは、
前記呼吸流量信号の吸気部分の標準偏差を計算することと、
前記呼吸流量信号の呼気部分の標準偏差を計算することと、
前記呼吸流量信号の前記呼気部分の早期部分の標準偏差を計算することと、
前記呼気部分の前記早期部分の前記標準偏差が前記呼気部分の前記標準偏差に相当する場合、誤モデル化された漏洩無呼吸を検出することと、を含む、請求項３８に記載の方法。
請求項４０：
前記誤モデル化された漏洩無呼吸を検出することは、前記吸気部分の前記標準偏差および前記呼気部分の前記標準偏差が閾値を下回るかを決定することをさらに含む、請求項３９に記載の方法。
請求項４１：
前記誤モデル化された漏洩無呼吸を検出することは、現在の換気測定が閾値換気を下回るかを決定することをさらに含む、請求項３９〜４０のうちいずれか１つに記載の方法。
請求項４２：
前記換気治療はサーボ換気であり、前記閾値換気は、前記サーボ換気のターゲット換気である、請求項４１に記載の方法。
請求項４３：
前記誤モデル化された漏洩無呼吸を検出することは、吸気部分が所定の範囲内にあるかを決定することをさらに含む、請求項３９〜４２のうちいずれか１つに記載の方法。
請求項４４：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
換気治療を前記患者へ前記ベース圧力を有する換気治療を提供するように前記圧力生成器を制御することと、
前記呼吸流量を示す信号から吸気流れ制限の測定を計算することと、
前記吸気流れ制限の測定に応じて前記換気治療のベース圧力の設定点を調整することと、
を行うように構成された制御器と、を含み、
前記吸気流れ制限の測定を計算するために、前記制御器は、
前記呼吸流量信号の吸気部分の中央部分の複数の特徴を計算することと、
複数の流れ制限変数を前記中央部分特徴から計算することであって、各流れ制限変数は、前記呼吸流量信号の吸気部分と典型的な流れが制限された吸気波形との間の類似性の度合いを示す、ことと、
前記吸気流れ制限の測定を前記複数の流れ制限変数の最大値として計算することと、を行う、装置。
請求項４５：
患者における呼吸障害を治療する方法であって、
換気装置を用いて患者インターフェースを通じて前記患者への換気治療を前記ベース圧力を有する換気治療を制御することと、
前記患者の呼吸流量を示す信号から吸気流れ制限の測定を計算することと、
前記換気治療のベース圧力の設定点を前記吸気流れ制限の測定に応じて前記制御器において調整することと、を含み、
前記計算することは、
前記呼吸流量を示す信号の吸気部分の中央部分の複数の特徴を計算することと、
前記中央部分特徴から複数の流れ制限変数を計算することであって、各流れ制限変数は、前記呼吸流量を示す信号の吸気部分と典型的な流れが制限された吸気波形との間の類似性の度合いを示す、ことと、
前記吸気流れ制限の測定を前記複数の流れ制限変数の最大値として計算することと、を含む、方法。
請求項４６：
患者における呼吸障害を治療する装置であって、
空気流れを正の圧力で患者インターフェースを介して前記患者の気道へ供給するように構成された圧力生成器と、
前記患者の呼吸流量を示す信号を生成するように構成されたセンサーと、
制御器であって、
換気治療を前記患者へ前記ベース圧力を有する換気治療を提供するように前記圧力生成器を制御すること、
前記呼吸流量を示す信号から前記患者の換気の測定を計算することと、
前記呼吸流量信号の吸気部分から流れ制限の測定を計算することと、
前記流れ制限の測定と、複数の呼吸にわたる最近長引いている流れが制限された有意な低換気の測定とに基づいて、前記換気治療のベース圧力の設定点を調整することと、を行うように構成された制御器と、を含む、装置。
請求項４７：
患者における呼吸障害を治療する方法であって、
換気装置を用いて患者インターフェースを通じて前記患者への換気治療を前記ベース圧力を有する換気治療を制御することと、
前記患者の呼吸流量を示すセンサー信号から前記患者の換気の測定を計算することと、
前記換気装置の制御器において前記呼吸流量を示す信号の吸気部分から流れ制限の測定を計算することと、
前記制御器において、前記流れ制限の測定と、複数の呼吸にわたる最近長引いている流れが制限された有意な低換気の測定とに基づいて、前記換気治療のベース圧力の設定点を調整することと、を含む、方法。
請求項４８：
前記ベース圧力の設定点を調整することは、
最近長引いている流れが制限された有意な低換気の測定に比例して増加する換気関連乗数を計算することと、
前記換気関連乗数および前記流れ制限の測定と流れ制限閾値との間の差の積から前記ベース圧力の前記設定点への規定された増加を計算することと、請求項４７に記載の方法。
請求項４９：
前記流れ制限閾値は、現在のベース圧力の増加と共に増加する、請求項４８に記載の方法。
請求項５０：
流れが制限された有意な低換気の複数の呼吸にわたる測定をフィルタリングすることにより、最近長引いている流れが制限された有意な低換気の測定を計算することをさらに含む、請求項４８〜４９のうちいずれか１つに記載の方法。
請求項５１：
前記流れ制限の測定を有意な低換気のインジケータで乗算することにより、流れが制限された有意な低換気の測定を計算することをさらに含む、請求項５０に記載の方法。
請求項５２：
現在の換気測定が所定の閾値を下回った場合に０から１へ増加するように前記有意な低換気のインジケータを計算することをさらに含む、請求項５１に記載の方法。
請求項５３：
前記現在の換気測定は、現在の呼吸方向の換気の測定と、期待される正常換気との間の比である、請求項５２に記載の方法。
請求項５４：
前記換気治療はサーボ換気であり、前記期待される正常換気は、前記サーボ換気のターゲット換気である、請求項５３に記載の方法。
請求項５５：
前記フィルタリングすることは、
流れが制限された有意な低換気の各測定へ隣接重み付けを適用することと、
前記隣接重み付けされる測定の平均二乗値を計算することと、を含む、請求項５０〜５４のうちいずれか１つに記載の方法。
請求項５６：
隣接重み付けされる測定は、流れが制限された有意な低換気測定およびその先行処理測定がほぼ等しくかつ１に近い場合に最高になる、請求項５５に記載の方法。
請求項５７：
前記平均二乗値における各２乗された値は、現在の測定において最高になりかつ前記測定が古くなるにつれて減少する重みによって重み付けされる、請求項５５に記載の方法。
請求項５８：
前記流れ制限の測定は、前記吸気部分のＭ字形状の測定を含む、請求項４７〜５７のうちいずれか１つに記載の方法。
【手続補正３】
【補正対象書類名】明細書
【補正対象項目名】発明の名称
【補正方法】変更
【補正の内容】
【発明の名称】呼吸障害を治療する装置および換気装置の制御器における動作方法